(57)【特許請求の範囲】
【請求項１】
タイヤ成形ドラムの軸方向を画定する回転軸を備えるタイヤ成形ドラムであって、
前記タイヤ成形ドラムが、第１の軸方向の位置にビードを保持するために、前記第１の軸方向の位置で前記回転軸の周りに周方向へ延在するビードホルダと、前記第１の軸方向の位置から離隔配置された第２の軸方向の位置で前記回転軸の周りに周方向へ延在する軸方向に可動であるアーム駆動部材とを更に備え、前記タイヤ成形ドラムが、前記回転軸を中心として周方向へ分配され、かつ前記第１の軸方向の位置と前記第２の軸方向の位置との間にタイヤ構成要素を支持するための周面を一体に形成するターンナップアームを備え付け、前記ターンナップアームの１つ１つが、前記アーム駆動部材から前記ビードホルダに向かって長手方向へ延在し、前記アーム駆動部材が前記ビードホルダに向かって移動するにつれて、前記ビードホルダで前記ビードの周りにその上に支持される前記タイヤ構成要素をターンナップするために、各ターンナップ軸を中心として前記アーム駆動部材にヒンジ式に結合され、前記タイヤ成形ドラムが、前記ターンナップアームの上方に、それらの各長手方向へ延在する環状スリーブを備え、前記スリーブが、周方向へ弾性であり、前記ターンナップアームの周りに弾性嵌合し、前記スリーブが、前記スリーブが前記ターンナップアーム上に支持される少なくとも部分内に前記ターンナップアームの前記長手方向に平行な補強方向へ延在する非弾性補強要素を備え付け、前記スリーブが、前記第１の軸方向の位置に、または前記第１の軸方向の位置の近傍に前記軸方向に保持される固定端と、前記ターンナップアームの上方に、それらの各長手方向へ可動である可動端とを備え付けており、
前記スリーブの前記可動端が、前記ターンナップアームの収縮または拡張に応答して、前記ターンアームの上方に前記長手方向へ自由にまたは受動的に移動するように配置される自由端である、
タイヤ成形ドラム。
【請求項２】
前記スリーブの前記可動端が、前記ターンナップアームの上方に前記ターンナップアームの前記各長手方向へ摺動自在に可動である、
請求項１に記載のタイヤ成形ドラム。
【請求項３】
前記スリーブがエラストマー材料またはゴムを備える、
請求項１または２に記載のタイヤ成形ドラム。
【請求項４】
前記スリーブが、径方向内側に面する内面、および径方向外側に面する外面を含むゴム層を備え、前記スリーブが、前記内面、前記外面またはその両方に付着される１つまたは複数のコーティングまたは表面層を備える、
請求項３に記載のタイヤ成形ドラム。
【請求項５】
補強要素が前記ゴム層の中に埋設される、
請求項４に記載のタイヤ成形ドラム。
【請求項６】
補強要素が、１つまたは複数のコーティングまたは表面層の中に埋設され、あるいは１つまたは複数のコーティングまたは表面層によって形成される、
請求項４または５に記載のタイヤ成形ドラム。
【請求項７】
前記１つまたは複数のコーティングまたは表面層が、前記ゴム層の内面上に低摩擦材料を備える、
請求項４から６のいずれか一項に記載のタイヤ成形ドラム。
【請求項８】
前記１つまたは複数のコーティングまたは表面層が、前記ゴム層の外面上に低摩擦材料を備える、
請求項４から７のいずれか一項に記載のタイヤ成形ドラム。
【請求項９】
各前記ターンナップアームが、径方向外側に面し、前記スリーブに当接する摺動面を備え付け、前記摺動面が、低摩擦材料で被覆される、
請求項１から８のいずれか一項に記載のタイヤ成形ドラム。
【請求項１０】
前記低摩擦材料が、プラズマコーティング、テフロンまたはその組合せを備える、
請求項７、８または９のいずれか一項に記載のタイヤ成形ドラム。
【請求項１１】
各前記ターンナップアームが、前記アームの長手方向に沿って分配され、前記ターンナップアーム上方での前記スリーブの移動に接触し、促進するために配置される複数のローラを備え付ける、
請求項１から８のいずれか一項に記載のタイヤ成形ドラム。
【請求項１２】
前記補強要素が、前記軸方向と交差し、前記軸方向へ平行な平面内に延在する、
請求項１から１１のいずれか一項に記載のタイヤ成形ドラム。
【請求項１３】
前記補強要素が、前記固定端と前記可動端との間の前記スリーブの前記経路内に、前記タイヤ構成要素を受けるように配置される前記スリーブの少なくとも部分の中に延在する、
請求項１から１２のいずれか一項に記載のタイヤ成形ドラム。
【請求項１４】
前記補強要素が、前記固定端と前記可動端との間の前記スリーブの前記全長に延在する、
請求項１から１３のいずれか一項に記載のタイヤ成形ドラム。
【請求項１５】
前記補強方向が、前記軸方向に平行な少なくとも１つの方向性構成要素を含む、
請求項１から１４のいずれか一項に記載のタイヤ成形ドラム。
【請求項１６】
前記補強要素が、補強コード、またはポリエチレン・テレフタレート（ＰＥＴ）、アラミド繊維および／またはレーヨン繊維を含む、複合繊維補強コードである、
請求項１から１５のいずれか一項に記載のタイヤ成形ドラム。
【請求項１７】
各ターンナップアームが、前記アーム駆動部材にヒンジ式に結合される近位端と、ビードホルダに面する遠位端と、前記近位端と前記遠位端との間に延在する細長いアーム本体とを備え、前記アーム本体が、径方向外側に面し、前記スリーブに当接する摺動面を備え付け、前記摺動面が、円錐形部分と残りの部分とを含み、前記円錐形部分は、前記摺動面の前記残りの部分よりも前記軸方向に対してより大きい傾斜角下で延在する、
請求項１から１６のいずれか一項に記載のタイヤ成形ドラム。
【請求項１８】
前記摺動面の前記円錐形部分が、前記摺動面の前記残りの部分に対して前記近位端に最も近い、
請求項１７に記載のタイヤ成形ドラム。
【請求項１９】
前記スリーブが、前記アーム駆動部材に対して前記ビードホルダの前記反対側に前記軸方向へ延在し、前記タイヤ成形ドラムが、前記軸方向へ前記固定端を保持するために、前記スリーブの固定端に結合される固定部材を備え付けた、
請求項１から１８のいずれか一項に記載のタイヤ成形ドラム。
【請求項２０】
前記ビードホルダが、前記ビードを径方向外側に締め付けるために、前記径方向に拡張可能であるビードロック機構を備え、前記スリーブの前記固定端近傍の前記スリーブの部分が、前記ビードロック機構上方に前記軸方向へ延在し、使用中には前記ビードと前記ビードロック機構との間に前記軸方向へ保持され得るように配置された、
請求項１から１９のいずれか一項に記載のタイヤ成形ドラム。
【請求項２１】
前記ビードロック機構が、前記ビードロックと前記スリーブの前記固定端との間に配置される誘導部材を備え、前記誘導部材が、前記スリーブを前記ビードロック上に配置されるビードに対して、前記スリーブの前記固定端に面する前記ビードの側部で、上方へ押すように配置される、
請求項２０に記載のタイヤ成形ドラム。
【請求項２２】
前記ターンナップアームが前記軸方向に対して平行に延在する水平配向と、前記ターンナップアームが前記アーム駆動部材で第１の半径から前記ビードホルダの径方向外側により大きい第２の半径に向かって、前記軸方向に対して傾斜角下で延在するターンナップされた配向との間で、前記ターンナップアームが、前記ターンナップアームの各ヒンジ軸に対してヒンジ式であり、前記補強要素が、前記アームの水平配向へ、軸方向に平行に延在する、
請求項１から２１のいずれか一項に記載のタイヤ成形ドラム。
【請求項２３】
前記補強要素が、前記アームの前記水平配向に互いに平行に延在する、
請求項２２に記載のタイヤ成形ドラム。
【請求項２４】
請求項１から２３のいずれか一項に記載のタイヤ成形ドラム上にタイヤ構成要素を形成するための方法であって、
カーカスの外側部が、前記軸方向へ前記ビードホルダの上方に、かつ前記第１の軸方向の位置から前記第２の軸方向の位置に向かって前記スリーブの周りに延在するように、前記タイヤ成形ドラムの周りに前記カーカスを付着するステップと、
前記カーカスの周りに前記ビードホルダにビードを付着するステップと、
前記ターンナップアームが前記ビードホルダで前記ビードの周りにその上で支持される前記カーカスの前記外側部をターンナップするように、前記アーム駆動部材を前記軸方向へ前記ビードホルダに向かって移動させるステップと、
前記固定端を前記軸方向へ前記第１の軸方向の位置で、または前記第１の軸方向の位置の近傍で保持し、一方で、前記可動端が、前記ターンナップアームの前記各長手方向へ前記ターンナップアーム上方に前記第１の軸方向の位置に向かって移動できるようにするステップとを含み、
前記ターンナップアームの上方に前記ターンナップアームの前記各長手方向への前記スリーブの前記移動が、前記ターンナップアームの収縮または拡張に応答して、前記ターンアーム上方の自由な移動または受動的移動である、
方法。
【請求項２５】
前記アーム駆動部材を前記軸方向へ前記ビードホルダから離れて移動して、前記ターンナップアームが水平配向へ戻るようにするステップと、
前記固定端を前記軸方向へ前記第１の軸方向の位置で、または前記第１の軸方向の位置の近傍で保持し、一方で、前記可動端が、前記ターンナップアームの前記各長手方向へ前記ターンナップアーム上方に前記第２の軸方向の位置に向かって移動できるようにするステップとを含む、
請求項２４に記載の方法。
【請求項２６】
前記スリーブが、前記第２の軸方向の位置に向かって移動するように付勢され、前記可動端が、前記ターンナップアームの前記各長手方向へ前記ターンナップアーム上方に前記第２の軸方向の位置に向かって移動できるようにするステップが、前記ターンナップアームがそれらの水平配向へ戻ることによって自動的に発生する、
請求項２５に記載の方法。
【請求項２７】
前記付勢が、前記周方向への前記スリーブの前記弾性によって生成される、
請求項２６に記載の方法。
【請求項２８】
前記ターンナップアームの上方に前記ターンナップアームの前記各長手方向への前記スリーブの前記移動が、摺動移動である、
請求項２４から２７のいずれか一項に記載の方法。
【発明の詳細な説明】
【技術分野】
【０００１】
本発明は、タイヤ成形ドラムおよび前記タイヤ成形ドラム上にタイヤ構成要素を成形するための方法に関する。
【背景技術】
【０００２】
独国特許第１２６８３７２号明細書は、拡張可能な成形ドラムを含むタイヤ成形ドラムを開示する。成形ドラムは、各ビードコアの周りに骨組みの側辺を折り畳むために圧縮されるいわゆるローリングブラダを備え付ける。成形ドラムは、折り畳み工程を支持するためにローリングブラダの内側上に配置される複数の摺動体を更に備える。ローリングブラダの端部が、タイヤ成形ドラムに固定して取り付けられて、超過圧力まで加圧される包囲された空間を形成する。ローリングブラダは、摺動体の直径の拡張と共に均等に拡張するように設計されて、その上に支持されるタイヤ構成要素の望ましくない変形を防止する。ローリングブラダは、主シャフトの方向に延在する平行な補強インサートを更に備え付けて、その結果、ローリングブラダの直径をかなり拡張することが可能であり、一方、ローリングブラダの軸方向の伸長は除外される。
【０００３】
公知のローリングブラダは、軸方向に余長を備え付けて、摺動体の直径の拡張によって取り込まれるローリングブラダの長さを収容する。ブラダの余長の欠点は、摺動体の拡張、およびその後の収縮中にブラダの余長の動作が制御されず、したがって、ブラダの回転動作をより不正確にすることである。制御されない余長の動作によって、ローリングブラダがタイヤ成形装置の他の構成要素の中に突き刺さる、または巻き込まれるという危険性を更にもたらす。更に、ローリングブラダの余長は、タイヤ成形装置の中の空間を消費し、その空間を他の構成要素のために使用することができない。
【０００４】
独国特許第１０２０１１０５６３３８号明細書は、ターンナップアーム、および前記アームの長手方向にアームの上方に摺動可能であるスリーブを含むタイヤ成形ドラムを開示する。スリーブの一方の端部は、ビードクランプに取り付けられ、一方、反対側の端部は、ばねを介してアームに結合される。独国特許第１０２０１１０５６３３８号明細書の説明によれば、スリーブは多方向へ変形可能であり、前記スリーブ上に支持されるカーカス部材が均等に変形されることが可能である。独国特許第１０２０１１０５６３３７号明細書は、同様に多方向へ変形可能なスリーブを採用する類似のタイヤ成形ドラムを開示する。しかし、カーカス部材は、典型的には、スリーブのようにすべての方向へ同じ比率で伸長しない。したがって、実際は、意図されるようにカーカス部材が均等に伸長するのではなく、公知のスリーブは、スリーブとカーカス部材との間に不可避的に摩擦を発生させる。摩擦が増えるにつれて、カーカス部材が予測不可能に、および／または突然スリーブの上方に移動する可能性があり、それによって、望ましくない、不均等な変形を前記カーカス部材の中に発生させる可能性がある。
【先行技術文献】
【特許文献】
【０００５】
【特許文献１】独国特許第１２６８３７２号明細書
【特許文献２】独国特許第１０２０１１０５６３３８号明細書
【特許文献３】独国特許第１０２０１１０５６３３７号明細書
【発明の概要】
【発明が解決しようとする課題】
【０００６】
本発明の目的は、タイヤ成形ドラムおよび前記タイヤ成形ドラム上にタイヤ構成要素を成形するための方法を提供することであり、それによって操作が改善され得る。
【課題を解決するための手段】
【０００７】
第１の態様により、本発明は、タイヤ成形ドラムの軸方向を画定する回転軸を備えるタイヤ成形ドラムであって、タイヤ成形ドラムが、第１の軸方向の位置にビードを保持するために、第１の軸方向の位置で回転軸の周りに周方向へ延在するビードホルダと、第１の軸方向の位置から離隔配置された第２の軸方向の位置で回転軸の周りに周方向へ延在する軸方向へ可動であるアーム駆動部材とを更に備え、タイヤ成形ドラムが、回転軸を中心として周方向へ分配され、かつ第１の軸方向の位置と第２の軸方向の位置との間にタイヤ構成要素を支持するための周面を一体に形成するターンナップアームを備え付け、ターンナップアームの各１つが、アーム駆動部材からビードホルダに向かって長手方向へ延在し、アーム駆動部材がビードホルダに向かって移動するにつれて、ビードホルダでビードの周りにその上に支持されるタイヤ構成要素をターンナップするために、各ターンナップ軸を中心としてアーム駆動部材にヒンジ式に結合され、タイヤ成形ドラムが、ターンナップアームの上方に、それらの各長手方向へ延在する環状スリーブを備え、スリーブが周方向へ弾性であり、ターンナップアームの周りに弾性嵌合し、スリーブが、スリーブがターンナップアーム上に支持される少なくとも部分内にターンナップアームの長手方向に平行な補強方向へ延在する非弾性補強要素を備え付け、スリーブが、第１の軸方向の位置に、または第１の軸方向の位置の近傍に軸方向に保持される固定端と、ターンナップアームの上方に、それらの各長手方向へ可動である可動端とを備え付ける、タイヤ成形ドラムを提供する。
【０００８】
したがって、スリーブは、径方向へターンナップアームの移動と一体に拡張および収縮されることが可能であり、ターンナップアームの拡張を補償するための余分の長さを必要としない。補強要素が、スリーブの前記長手方向への伸長を防止することができ、それによって、ターナップ中に、スリーブとタイヤ構成要素との間の摩擦を低減する。したがって、スリーブ上で予測できない、および／または突然のタイヤ構成要素の変位、および／またはターンナップ中のタイヤ構成要素内における望ましくない変形。前記長手方向へスリーブの非弾性にもかかわらず、スリーブの自由端は、ターンナップアームの拡張に応答して、ターンナップアームの上方に容易に移動することができるが、一方、アームの長手方向へのスリーブの長さは、概ね一定の状態に留まる。結果として生じるタイヤ成形ドラムは、より小型にすることができる。更に、スリーブは、その可動端がターンナップアームの上方に移動し、ターンナップアーム上で支持されるので、より正確に操作され得る。スリーブは、ターンナップアームの周りに緊密な様式で弾性嵌合されることが可能なので、それによって、スリーブが、タイヤ成形ドラムの他の構成要素の中に突き刺さる、または巻き込まれることを防止する。
【０００９】
本発明のタイヤ成形ドラムの中で、サイドウォールのターンナップが、ターンナップアームによって駆動されることに留意されたい。スリーブが、ターンナップアームのこの動作を補助する。このことは、独国特許第１２６８３７２号明細書による折り畳み機構と対照的であり、その明細書では、加圧された回転ブラダが、折り畳むために使用され、摺動体が、加圧されたブラダの折り畳み工程を補助する。
【００１０】
好適な実施形態では、スリーブの可動端が、ターンナップアームの上方にターンナップアームの各長手方向へ摺動自在に可動である。スリーブの自由端をターンナップアームの上方に容易に摺動させることによって、自由端を誘導するために特別な機構が全く必要とされず、したがって、タイヤ成形ドラムの設計を簡単にする。
【００１１】
一実施形態では、スリーブの可動端が、自由端であり、ターンナップアームの収縮および／または拡張に応答して、ターンナップアームの上方に長手方向へ自由に、および／または受動的に移動するように配置される。この実施形態により、自由端が、自由に、すなわち妨害されずに移動し、および／または受動的に、すなわち特にスリーブの一部ではない補助的駆動手段なしに移動するように配置される。したがって、スリーブは前記自由端を移動するための能動的駆動装置なしに機能することができる。
【００１２】
一実施形態では、タイヤ成形ドラムが、ターンナップアームの上方に第２の軸方向の位置に向かって、ターンナップアームの各長手方向へ移動するように、スリーブの自由端を付勢するための付勢要素を備え付ける。好適には、付勢要素が、自由端に、または自由端近傍にスリーブの周りに周方向へ弾性嵌合するように配置される弾性の環状付勢要素である。より好適には、弾性環状付勢要素は、環状ばねである。付勢要素は、自由端が第２の軸方向の位置に向かって戻ることを補助することができ、その結果、ターンナップアームのターンナップ後に、自由端が自動的に戻る。
【００１３】
代替実施形態では、スリーブの可動端が、ターンナップアームの上方に、ターンナップアームの各長手方向へ摺動自在に可動であり、タイヤ成形ドラムが、スリーブの可動端を付勢するための付勢要素を備え付けて、ターンナップアームの上方に、ターンナップアームの各長手方向へ第２の軸方向の位置に向かって移動する。好適には、付勢要素が、弾性の付勢要素を備え、各付勢要素が、第１の側部上で可動端に取り付けられ、第１の側部から離れて面する第２の側部上で、ビードホルダから離れて面するその端部で、またはその端部近傍で、ターンナップアームに取り付けられる。好適には、付勢要素が、ばねを備える。付勢要素は、可動端が第２の軸方向の位置に向かって戻るように駆動し、その結果、ターンナップアームのターンナップ後に、ターンナップアームがドラムに向かって収縮する場合、可動端が第２の位置に向かって引き戻される。
【００１４】
一実施形態では、スリーブが、エラストマー材料、好適にはゴムを備える。スリーブ内のエラストマー材料が、タイヤ成形ドラムの少なくとも周方向へスリーブの弾性拡張を可能にする。
【００１５】
一実施形態では、スリーブが、径方向内側に面する内面、および径方向外側に面する外面を含むゴム層を備え、スリーブが、内面、外面またはその両方に付着される１つまたは複数のコーティングまたは表面層を備える。コーティングまたは表面層は、ゴムの材料とは異なることができ、異なる特徴を含む内面および／または外面を提供することができる。
【００１６】
一実施形態では、補強要素が、ゴム層の中に埋設される。したがって、補強要素が、補強ゴム層が補強方向へ伸長することを防止する。
【００１７】
代替実施形態では、補強要素が、１つまたは複数のコーティングまたは表面層の中に埋設され、あるいは１つまたは複数のコーティングまたは表面層によって形成される。したがって、ゴム層自体が、補強方向へ弾性であることができ、一方、コーティングは、補強方向への伸長を制限することができる。
【００１８】
一実施形態では、１つまたは複数のコーティングまたは表面層が、ゴム層の内面上に低摩擦材料を備える。別法として、または追加的に、１つまたは複数のコーティングまたは表面層が、ゴム層の外面上に低摩擦材料を備える。ゴム層の内面上の低摩擦材料によって、スリーブがターンナップアームの上方に摺動することを改善する。ゴム層の外面上の低摩擦材料が、ターンナップされたタイヤ構成要素に対してスリーブのリリース特性を改善する。
【００１９】
好適な実施形態では、各ターンナップアームが、径方向外側に面し、スリーブに当接する摺動面を備え付け、摺動面が、低摩擦材料で被覆される。摺動面上のコーティングが、特にスリーブのゴム層の内面上のコーティングまたは表面層に結合される場合、スリーブが摺動面上方に容易に摺動することを促進する。
【００２０】
特定の実施形態では、低摩擦材料が、プラズマコーティング、テフロン層またはその組合せを含む。これらの材料は、ターンナップアームと、スリーブおよび／またはタイヤ構成要素との間の摩擦を低減するために特に適する。
【００２１】
代替実施形態では、各ターンナップアームが、前記アームの長手方向に沿って分配され、ターンナップアーム上方での前記スリーブの移動に接触し、促進するために配置される複数のローラを備え付ける。
【００２２】
一実施形態では、補強要素が、軸方向と交差し、軸方向へ平行または略平行な平面内に延在する。したがって、補強要素は、前記平面内でスリーブの伸長を防止することができる。
【００２３】
一実施形態では、補強要素が、固定端と可動端との間のスリーブの経路内に、好適にはタイヤ構成要素を受けるように配置されるスリーブの少なくとも部分の中に延在する。したがって、スリーブの前記部分内の伸長を防止することができ、それによって、ターンナップ中にタイヤ構成要素の中の望ましくない変形を低減する。
【００２４】
一実施形態では、補強要素が、固定端と可動端との間のスリーブの全長に延在する。したがって、補強方向へのスリーブの伸長は、スリーブの全長に亘って防止され得る。
【００２５】
一実施形態では、補強方向が、軸方向に平行な少なくとも１つの方向性構成要素を含む。その結果として、スリーブの構成要素が軸方向へ伸長することを防止することができる。
【００２６】
特定の実施形態では、補強要素が、補強コード、好適にはポリエチレン・テレフタレート（ＰＥＴ）、アラミド繊維および／またはレーヨン繊維を含む、複合繊維補強コードである。補強コードは、補強方向へスリーブを適切に補強することができる一方で、スリーブが周方向に拡張することをやはり可能にする。
【００２７】
一実施形態では、各ターンナップアームが、アーム駆動部材にヒンジ式に結合される近位端と、ビードホルダに面する遠位端と、近位端と遠位端との間に延在する細長いアーム本体とを備え、アーム本体が、径方向外側に面し、スリーブに当接する摺動面を備え付け、摺動面が、摺動面の前記残りの部分よりも軸方向に対してより大きい傾斜角下で延在する円錐形部分を備える。好適には、摺動面の円錐形部分が、摺動面の残りの部分に対して近位端に最も近い。円錐形部分は、ターンナップアームがほとんど平行な配向にある場合でも、第２の軸方向の位置に向かってより容易に摺動するように、可動端、特にスリーブの自由端を補助する。
【００２８】
一実施形態では、スリーブが、アーム駆動部材に対してビードホルダの反対側に軸方向へ延在し、タイヤ成形ドラムが、軸方向へ前記固定端を保持するために、スリーブの固定端に結合される固定部材を備え付ける。
【００２９】
一実施形態では、ビードホルダが、前記ビードを径方向外側に締め付けるために、径方向に拡張可能であるビードロック機構を備え、固定端近傍のスリーブの部分が、ビードロック機構の上方に軸方向へ延在し、使用中にはビードとビードロック機構との間に軸方向へ保持され得るように配置される。したがって、追加的に、または別法として、スリーブがビードロック機構とビードとの間に保持され得る。好適には、固定端が、特にビードホルダから独立して、ビードホルダとドラムの中心との間の位置にドラムに固定される。したがって、スリーブが、ビードホルダの上方へ延在し、使用中にはビードホルダとビードとの間に配置される。したがって、ターンナップ動作中に、スリーブがビードの少なくとも下方部分の周りに、かつサイドウォールに沿って上方へ延在する。これによって、少なくともターンナップ動作中に、インナライナ、１つまたは複数のプライ体および／またはサイドウォールによって、ビードのより優れた支持、および／またはビードのより緊密な、および／または緊張した状態の包囲を提供することが可能であり、それによって空気の閉じ込めの発生を防止することができる。
【００３０】
一実施形態では、ターンナップアームが軸方向に対して平行に、または略平行に延在する水平配向と、ターンナップアームがアーム駆動部材で第１の半径からビードホルダの径方向外側により大きい第２の半径に向かって、軸方向に対して傾斜角下で延在するターンナップされた配向との間で、ターンナップアームが、ターンナップアームの各ヒンジ軸に対してヒンジ式であり、補強要素が、アームの水平配向へ、軸方向に平行または略平行に延在する。したがって、スリーブが、略平坦および／または滑らかに保たれることが可能であり、したがって、ストリップ巻き取り、巻き取りまたは他の付着技術によって、タイヤ構成要素がタイヤ成形ドラムの周りに付着されることを可能にする。
【００３１】
好適な実施形態では、補強要素が、アームの水平配向に互いに平行に延在する。補強コードの並列性によって、補強コード間でスリーブの材料の拡張の均一性を向上することができる。
【００３２】
第２の態様により、本発明は、前述のタイヤ成形ドラム上にタイヤ構成要素を形成するための方法であって、
カーカスの外側部が、軸方向へビードホルダの上方に、かつ第１の軸方向の位置から第２の軸方向の位置に向かってスリーブの周りに延在するように、タイヤ成形ドラムの周りにカーカスを付着するステップと、
カーカスの周りにビードホルダにビードを付着するステップと、
ターンナップアームがビードホルダでビードの周りにその上で支持されるカーカスの外側部をターンナップするように、アーム駆動部材を軸方向へビードホルダに向かって移動させるステップと、
固定端を軸方向へ第１の軸方向の位置で、または第１の軸方向の位置の近傍で保持し、一方で、可動端が、ターンナップアームの各長手方向へターンナップアーム上方に第１の軸方向の位置に向かって移動できるようにするステップと
を含む、方法を提供する。
【００３３】
一実施形態では、本方法が、アーム駆動部材を軸方向へビードホルダから離れて移動して、ターンナップアームが水平配向へ戻るようにするステップと、
固定端を軸方向へ第１の軸方向の位置で、または第１の軸方向の位置の近傍で保持し、一方で、可動端が、ターンナップアームの各長手方向へターンナップアーム上方に第２の軸方向の位置に向かって移動できるようにするステップと
を更に含む。
【００３４】
本方法およびその実施形態は、本発明の第１の態様による前述のタイヤ成形ドラムの相当する実施形態と同様の利点を含む。簡潔にする理由から、以下に利点を繰り返して述べないこととする。
【００３５】
前記方法の実施形態では、スリーブが、第２の軸方向の位置に向かって移動するように付勢され、可動端が、ターンナップアームの各長手方向に沿ってターンナップアーム上方に第２の軸方向の位置に向かって移動できるようにするステップが、ターンナップアームがそれらの水平配向へ戻ることによって自動的に発生する。
【００３６】
前記方法の追加の実施形態では、付勢が、周方向へのスリーブの弾性によって生成される。
【００３７】
一実施形態では、本方法が、スリーブ上に付勢力を及ぼすための付勢要素を提供して、スリーブを、ターンナップアームの各長手方向へ、ターンナップアーム上方に第２の軸方向の位置に向かって移動させるステップを含む。
【００３８】
本方法の一実施形態では、ターンナップアームの上方にターンナップアームの各長手方向へスリーブの移動が、摺動移動である。
【００３９】
本方法の一実施形態では、ターンナップアームの上方にターンナップアームの各長手方向へスリーブの移動が、ターンナップアームの収縮および／または拡張に応答して、ターンアーム上方の自由な移動および／または受動的移動である。
【００４０】
本明細書の中で説明され、示される様々な態様は、可能な限り個々に適用され得る。これら個々の態様、特に添付される付属の特許請求の範囲の中に説明される態様および特徴は、分割特許出願の主題にされることが可能である。
【００４１】
本発明は、添付の概略図の中に示される例示的実施形態に基づいて明らかになるであろう。
【図面の簡単な説明】
【００４２】
【図１】複数のターンナップアーム、１つのスリーブおよびそのスリーブの周りに配置されるカーカスを備え、ターンナップアームのターンナップ前に、ターンナップアームが水平配向にある、本発明によるタイヤ成形ドラムの第１の実施例の側面図である。
【図２】カーカスの周りにビードが付着された、図１によるタイヤ成形ドラムの側面図である。
【図３】ターンナップアームがターンナップ配向へターンナップされた後、図２によるタイヤ成形ドラムの側面図である。
【図４】ターンナップされた配向から水平配向に向かってターンナップアームが戻る間、図３によるタイヤ成形ドラムの側面図である。
【図５】図４によるタイヤ成形ドラムの正面図である。
【図６】図３の中の円ＶＩによるタイヤ成形ドラムの詳細図である。
【図７】ターンナップされた配向から水平配向に向かってターンナップアームが戻る間、本発明によるタイヤ成形ドラムの第２の実施例の側面図である。
【図８】ローラを備え付けた代替ターンナップアームを含む代替タイヤ成形ドラムの側面図である。
【発明を実施するための形態】
【００４３】
図１は、タイヤ成形ドラム１、特に生タイヤまたは未加硫タイヤのカーカスＣを成形するためのタイヤ成形ドラムの第１の実施例を示す。タイヤ成形ドラムは、タイヤ成形ドラム１の中央平面Ｍでセンターデッキ１１を中心として互いに対して鏡対称である、２つの前記ドラム半分１０を備える。タイヤ成形ドラム１のドラム半分１０の一方のみ、およびセンターデッキ１１の部分が、示されている。ドラム半分１０の一方のみが、以下に説明されることになる。
【００４４】
カーカスＣは、典型的には、インナライナのプリアセンブリＰＡおよびサイドウォールＳＷを備える。典型的には、一方のサイドウォールＳＷが、前記各ドラム半分１０でカーカスＣの側部近傍のドラム半分１０の上に付着される。典型的には、インナライナと概ね同じ寸法の１つまたは複数のプライ体が、インナライナＰＡの頂部上に配置される。ビードＢが、センターデッキ１１の両側でカーカスＣに設けられて、センターデッキ１１でカーカスＣの部分を封止する。カーカスＣの前記部分が、例えば膨張によって、公知の方法でセンターデッキ１１によって概ね成形される。カーカスＣは、サイドウォールＳＷと共に、センターデッキ１１でカーカスＣの既に成形された部分に対して各ビードＢの周りに２つのドラム半分１１によってターンナップされて、生タイヤの径方向側部を補強する。
【００４５】
図１から図４に示されるように、タイヤ成形ドラム１は、軸方向Ａおよびタイヤ成形ドラム１の回転軸Ｓを確定するドラムシャフト２を備える。タイヤ成形ドラム１のドラム半分１０は、前記回転軸Ｓを中心としてドラムシャフト２上に回転自在に支持される。図１から図４は、軸方向Ａに垂直な、タイヤ成形ドラム１の径方向Ｒを概略的に更に示す。図５は、タイヤ成形ドラム１の周方向Ｅを示す。
【００４６】
タイヤ成形ドラム１は、ビードＢをカーカスＣの周りに保持するためのビードホルダ３と、センターデッキ１１でカーカスＣの成形された部分に対してビードＢの周りに径方向ＲへカーカスＣをターンナップするための複数のターンナップアーム４とを更に備える。図５の中で最もよく分かるように、複数のアーム４がドラムシャフト２の周りに周方向へ分配されて、使用中にカーカスＣを支持する、タイヤ成形ドラム１の周面１２を形成する。タイヤ成形ドラム１は、ターンナップアーム４のターンナップを駆動するためのアーム駆動部材５を更に備え付ける。各ターンナップアーム４が、周方向Ｅに正接して延在するターンナップ軸を中心として、アーム駆動部材５にヒンジ式に結合されており、正接するとは、各ターンナップアーム４で径方向Ｒに対して垂直であり、軸方向Ａに対して垂直であるという意味である。ターンナップアーム４は、図１に示される平面配向、および図３に示されるターンナップされた配向へヒンジ式に可動である。
【００４７】
図１に示されるように、ビードホルダ３は、周方向へ、または軸方向Ａに沿って第１の軸方向の位置Ｐ１でドラムシャフト２の周りに環状に延在する。アーム駆動部材５もまた、ドラムシャフト２の周りに環状に、または周方向へ延在し、ビードホルダ３に向かって、かつビードホルダ３から離れて、軸方向Ａへドラムシャフト２の上方に可動である。したがって、アーム駆動部材５が、第１の軸方向の位置Ｐ１に対して、および第１の軸方向の位置Ｐ１から離隔配置される、可変の第２の軸方向の位置Ｐ２にある。図１から図３に示されるように、ビードホルダ３に対するアーム駆動部材５の相対的な軸方向の移動によって、ターンナップアーム４が、ビードＢおよびそのサイドウォールＳＷの周りに、カーカスＣの成形された部分に対してプリアセンブリＰＡをターンナップする。アーム駆動部材５が、適切な駆動装置、例えば、ドラムシャフト２の内側に配置されるスピンドル駆動装置（図示せず）によって駆動される。
【００４８】
図２に示されるように、ビードホルダ３が、それ自体が既知である、ビードロック機構３０を備え、ビードロック機構３０は、タイヤ成形ドラム１の径方向Ｒへ拡張可能および収縮可能であって、カーカスＣに対してその上に支持されるビードＢをロックする、または締め付ける。
【００４９】
図３に最もよく分かるように、各ターンナップアーム４が、ヒンジ５０を介してアーム駆動部材５にヒンジ式に結合される近位端４１を備えて、各ターンナップ軸の周りで回転可能になる。各ターンナップアーム４が、ビードホルダ３、および近位端４１と遠位端４２との間のターンナップアーム４の長手方向Ｌへ延在する細長いアーム本体４３に面する遠位端４２を更に備える。図１に示されるように、ターンナップアーム４の水平配向では、ターンナップアーム４の長手方向Ｌは、タイヤ成形ドラム１の軸方向Ａに平行または略平行である。図３に示されるように、ターンナップアーム４のターンナップされた配向では、ターンナップアーム４の長手方向Ｌは、軸方向Ａに対して傾斜角にあり、好適には少なくとも３０°の傾斜角である。ターンナップアーム４は、プリアセンブリＰＡおよびサイドウォールＳＷをターンナップ中にカーカスＣの成形された部分に対して押し付けるために、遠位端４２で回転自在に支持されるホイールまたはローラ４４を備える。
【００５０】
図３に示されるように、各ターンナップアーム４は、径方向Ｒに外側に面する摺動面４５を備え付ける。摺動面４５は、ターンナップアーム４の長手方向Ｌへ、プリアセンブリＰＡおよび／またはサイドウォールＳＷを支持するターンナップアーム４の少なくとも長さの上方に延在する。好適には、摺動面４５は、近位端４１と遠位端４２との間の長手方向Ｌへ、ターンナップアーム４の全長に、または略全長に沿って延在する。摺動面４５は、摺動面４５の残りの部分４７よりも軸方向Ａに対して、より傾斜した角度下で延在する円錐形部分４６を備える。摺動面４５の円錐形部分４６が、摺動面４５の残りの部分４７に対して近位端４１に最も近い。円錐形部分４６は、ターンナップアーム４のアーム本体４３の長さの少なくとも３分の１を超えて長手方向Ｌへ好適には延在する。図１は、水平配向にある複数のターンナップアーム４を示す。この水平配向では、すべてのターンナップアーム４の摺動面４５の円錐形部分４６が、タイヤ成形ドラム１の周面１２の円錐形区分１３を一体に形成する。摺動面４５の残りの部分４７は、タイヤ成形ドラム１の周面１２の直円柱形または略直円柱形区分１４を形成する。
【００５１】
本発明による摺動面４５は、好適には、例えばプラズマコーティング、テフロンまたはその組合せなど、非貼着性、非粘着性または低摩擦材料によって被覆される。
【００５２】
タイヤ成形ドラム１は、周方向Ｅへターンナップアーム４の間のギャップまたはスリットを概ね閉鎖するために、直接隣接するターンナップアーム４の各対の間に、周方向Ｅへ延在するカバープレート４７を任意選択で備え付ける。
【００５３】
図１から図５に示されるように、本発明によるタイヤ成形ドラム１は、ターンナップアーム４の周りに周方向Ｅへ嵌合されるスリーブ６を備え付ける。図１から図４では、スリーブ６が模式的に部分的に切り取られており、前述のターンナップアーム４を格納するスリーブ６の内側が見えるようにしている。当然ながら、以下の通り、図５から、スリーブ６は、周方向Ｅへターンナップアーム４の周りに完全に、および／または環状に延在する。スリーブ６は、特にターンナップアーム４が水平配向からターンナップされた配向に向かって移動する場合、周方向Ｅへターンナップアーム４の間に生成される、および／または存在するスリットまたはギャップを覆うように配置される。スリーブ６の下でターンナップアーム４の位置が、スリーブ６上の破線によって模式的に示される。特に、スリーブ６は、第１の軸方向の位置Ｐ１と第２の軸方向の位置Ｐ２との間に閉鎖された、または概ね閉鎖されたタイヤ成形ドラム１の周面１２を形成するために使用されることができ、それによって、周面１２は、未加硫の、軟質ゴムを受けるのに十分に滑らかであり、前記ゴムの中に痕跡または損傷を残すことはない。スリーブ６の存在によって、サイドウォールＳＷなどのタイヤ構成要素が、タイヤ成形ドラム１に直接押出成形、および／またはストリップ巻き付けされることさえ可能である。したがって、これらのタイヤ構成要素のために別個の製造ドラムは必要ではない。
【００５４】
スリーブ６は、第１の軸方向の位置Ｐ１に、または第１の軸方向の位置Ｐ１近傍に第１の端部６１、およびその摺動面４５で複数のターンナップアーム４の周りに周方向に嵌合される第２の端部６２を含む。第１の端部６１は、第１の軸方向の位置Ｐ１に、または第１の軸方向の位置Ｐ１近傍に軸方向Ａに固定または保持され、以下に「固定端」６１と呼ばれる。第２の端部６２は、複数のターンナップアーム４の摺動面４５の上方に、前記ターンナップアーム４の各長手方向Ｌへ可動および／または摺動可能であり、以下に「可動端」６２と呼ばれる。図１から図５に示されるこの第１の実施例では、可動端は自由端であるということに留意されたい。
【００５５】
この例示的な実施形態では、タイヤ成形ドラム１が、ドラム半分に固定端６１を固定式に取り付けるために、固定部材８を備え付ける。固定部材８は、アーム駆動部材５と反対側の軸方向Ａへビードホルダ３の側部に配置され、好適には、軸方向Ａへビードホルダ３にできる限り近接して、または直接隣接して配置される。好適には、固定部材８は、ビードホルダ２に向かって短い距離で上方に、ビードホルダ２から離れて摺動可能であって、図１および図２に示されるように、ターンナップアーム４のターンナップ前に、ビードロック機構３０の拡張を補償する。しかし、固定部材８は、ターンナップアーム４のターンナップ中に第１の軸方向の位置Ｐ１に対して固定された軸方向の位置に留まる。
【００５６】
図６に詳細に示されるように、スリーブ６は、径方向Ｒへ内側に面する内面６４および径方向Ｒへ外側に面する外面６５を含むゴム層６３を備える。内面６４が、複数のターンナップアーム４の摺動面４５に当接するように配置される。スリーブ６の外面６５が、プリアセンブリＰＡおよびサイドウォールＳＷを受けるため、および／または支持するために配置される。スリーブ６の内面６４は、好適には、例えばプラズマコーティング、テフロンまたはその組合せなど、非貼着性、非粘着性または低摩擦材料によって被覆される。本発明の文脈の中で、「コーティング」とは、表面に付着される面処理または層を意味する。任意選択で、前述の摺動面４５上のコーティングと組み合わせて、内面６４でのコーティングは、スリーブ６が摺動面４５の上方に容易に摺動することを促進する。追加的に、または別法として、スリーブ６の外面６５は、例えばプラズマコーティング、テフロンまたはその組合せなど、非貼着性、非粘着性または低摩擦材料によって被覆される。これによって、ターンナップ中に、スリーブ６とプリアセンブリＰＡおよびそのサイドウォールＳＷとの間の摩擦を低減することができる。
【００５７】
別法として、内面６４および／または外面６５が、繊維層、好適には二層弾性繊維を備え付ける。そのような繊維は、長手方向および横方向の両方に優れた伸長特性を提供し、それによって、ターンナップ動作中に非常に滑らかなスリーブの変形を可能にする。
【００５８】
層６３が、エラストマー材料、好適にはゴムを備える。ゴム層６３は、タイヤ成形ドラム１の少なくとも周方向Ｅへ弾性である。そうであるので、スリーブ６は、複数のターンナップアーム４の周りに緊密に、かつ弾性的に嵌合する。特に、ターンナップアーム４の径方向外側に面する摺動面４５は、スリーブ６の内面６４と直接接触または当接する。ゴム層６３のエラストマー材料は、周方向Ｅに対して横方向へ弾性である２方向性エラストマー材料であることができるが、周方向Ｅに対して横断する、または垂直な補強方向へ、複数の非弾性または概ね非弾性の補強要素７をゴム層６３の中に埋設することによって、前記横方向へのゴム層６３の弾性は低減される。
【００５９】
本発明のこの例示的な実施形態では、補強要素７が、補強フィラメントまたは補強コード、好適にはポリエチレン・テレフタレート（ＰＥＴ）、アラミド繊維および／またはレーヨン繊維を含む、複合繊維補強コードである。別法として、補強要素７が、スリーブ６のゴム層６３の内面６４および／または外面６５上のコーティングまたは表面層の中に埋設され、またはコーティングまたは表面層によって形成され得る。
【００６０】
補強要素７の補強方向は、軸方向Ａに平行な少なくとも１つの方向構成要素を含む。補強方向は、軸方向Ａと交差し、軸方向Ａに平行であるタイヤ成形ドラム１の径方向平面の中に延在する。補強方向は、第１の軸方向の位置Ｐ１または固定端６１から、軸方向Ａに、ビードホルダ３およびターンナップアーム４の上方に、ゴム層６３の経路の中に、第２の軸方向の位置Ｐ２または自由端６２に向かって延在する。図１に示されるように、ターンナップアーム４が水平配向にある場合、補強要素７は、タイヤ成形ドラム１の軸方向Ａに平行または略平行に延在する。補強要素７は、ターンナップアーム４の摺動面４５上に、好適には、スリーブ６がプリアセンブリＰＡおよびそのサイドウォールＳＷを直接支持する位置に据わるスリーブ６の少なくとも部分の中に延在する。示される実施形態では、補強要素７が、固定端６１と自由端６２との間にスリーブ６の全長に、または全長に亘って延在する。補強要素７が、スリーブ６が摺動面４５上に支持される少なくとも部分の中に、ターンナップアーム４の長手方向Ｌへ平行に延在する。
【００６１】
タイヤ成形ドラム１は、図３に示されるターンナップされた配向から、図１に示される水平配向に向かって、および／または水平配向の中に、ターンナップアーム４を付勢するための第１の付勢要素９１を備え付ける。タイヤ成形ドラム１は、ターンナップアーム４の長手方向Ｌへ、図３および図４に示される第２の軸方向の位置Ｐ２に向かって、スリーブ６の自由端６２を付勢するための第２の付勢要素９２を更に備え付ける。この実施例では、第１の付勢要素９１および／または第２の付勢要素９２が、弾性環状付勢要素９１、９２として形成される。それぞれ第１の付勢要素９１が、ターンナップアーム４の近位端４１に、または近位端４１近傍に、かつ第２の付勢要素９２がスリーブ６の自由端６２に、または自由端６２近傍に、周方向Ｅの周りに弾性嵌合されるように配置される。好適には、第１の付勢要素９１および／または第２の付勢要素９２が、環状ばねとして形成される。図１から図４に最もよく分かるように、スリーブ６の自由端６２がそれ自体の上に後方へ折り畳まれ、したがって第２の付勢要素９２を周方向に受けるためのリムを形成する。
【００６２】
スリーブ６もやはり弾性特性を含むので、スリーブ６もまたターンナップアーム４上に付勢力を提供して、ターンナップアーム４を後方へ水平配向に向かって押す。スリーブ６によってターンナップアーム４の上に提供される付勢力が十分大きい場合、第１の付勢要素９１および／または第２の付勢要素９２が省略され得る。
【００６３】
前述のタイヤ成形ドラム１上にタイヤ構成要素を形成するための方法が、図１から図６を参照して以下に説明される。
【００６４】
図１は、タイヤ成形ドラム１のターンナップアーム４が水平配向にあるターンナップ前の状態を示しており、タイヤ成形ドラム１の周面１２ができる限り平坦および／または滑らかであるようになっている。第２の付勢要素９２によって付勢されたスリーブ６の自由端６２が、ターンナップアーム４の近位端４１に、または近位端４１近傍に、ターンナップアーム４の摺動面４５上の開始位置に配置されている。カーカスＣが、ストリップ巻き付け、巻き付け、製造ドラム（図示せず）からの移送、または前述の付着技術の組合せのいずれかによって、タイヤ成形ドラム１の周りに付着される。カーカスＣは、サイドウォールＳＷを含むプリアセンブリＰＡを備える。プリアセンブリＰＡは、センターデッキ１１の上方に延在し、軸方向Ａへビードホルダ３の上方に第２の軸方向の位置Ｐ２に向かって延在する外側部を含む。ターンナップアーム４で、プリアセンブリＰＡは、スリーブ６の少なくとも部分の上方に、かつスリーブ６の少なくとも部分の周りに延在する。サイドウォールＳＷは、軸方向Ａへ固定部材８に対して反対側上に、ビードホルダ３に隣接して配置される。
【００６５】
図２は、ビードＢがビードホルダ３でカーカスＣの周りに付着された状態を示す。ビードロック機構３０が径方向Ｒへ拡張されて、ターンナップアーム４でビードＢの反対側に延在するカーカスＣの外側部に対してセンターデッキ１１でカーカスＣの部分を封止する。同様に、ビードロック機構３０の径方向の拡張とともに、固定部材８がわずかに軸方向Ａへビードホルダ２に向かって移動されて、拡張されたビードロック機構３０の上方に走るスリーブ６の径方向の拡張を補償する。次いで、固定部材８は、第１の軸方向の位置Ｐ１に、または第１の軸方向の位置Ｐ１近傍に、図２に示される軸方向の位置に固定された状態に留まる。続いて、カーカスＣがセンターデッキ１１で生タイヤの所望の円環状形態に膨張された。次いで、カーカスＣの成形された部分が、アーム駆動部材５の反対側にビードＢの側部で、軸方向ＡへビードＢに直接隣接して径方向外側へ延在する。ビード３と固定部材８との間に配置される、ビードロック機構３０の誘導部材３２が、センターデッキ１１に面する側で、ビード３の少なくとも下方部分に対して上方にスリーブ６を押す。次いで、プリアセンブリが、ビードＢの周りに、カーカスＣの成形された部分の径方向側に向かって、かつ径方向側に対してターンナップされ得る。
【００６６】
図３は、アーム駆動部材５が軸方向Ａへビードホルダ３に向かって移動されて、ターンナップアーム４が、その上に支持されているプリアセンブリＰＡの外側部をビードホルダ３でビードＢの周りにターンナップした状態を示している。最初に、ターンナップアーム４の遠位端４２で加圧ローラ４４が、軸方向Ａにビードホルダ３の面取りされた側部に当接し、その後径方向外側へ強制される。その後、アーム駆動部材５が軸方向Ａへ更に移動されるにつれて、ターンナップアーム４の遠位端４２で加圧ローラ４４が、プリアセンブリＰＡをビードＢの周りにターンナップする。この点で、プリアセンブリＰＡの頂部にあったサイドウォールＳＷが、カーカスＣの成形された部分の径方向側部とターンナップされたプリアセンブリＰＡとの間に挟まれる。加圧ローラ４４がターンナップされたプリアセンブリＰＡおよびサイドウォールＳＷの上方に転がって、ターンナップされたプリアセンブリＰＡ、サイドウォールＳＷおよびカーカスＣの成形された部分の間に強い粘着を生成する。
【００６７】
図２に示される水平配向から図３に示されるターンナップされた配向へターンナップ中に、遠位端４２でターンナップアーム４の直径が、近位端４１に対して顕著に増加する。その結果として、スリーブ６が、近位端４１から遠位端４２に向かって次第に大きくなる直径に周方向Ｅへ弾性的に伸長され、または顕著に拡張される。スリーブ６の固定端６１が、第１の軸方向の位置Ｐ１で、または第１の軸方向の位置Ｐ１近傍で軸方向Ａに保持されるので、ターンナップアーム４の機械的拡張によって、自由端６２が、ターンナップアーム４の各長手方向Ｌへ摺動面４５の上方に受動的または自由に移動する。スリーブ６のゴム層６３の内側６４、ターンナップアーム４の摺動面４５、またはその両方のいずれかの上の、任意選択のコーティングまたは表面層によって、スリーブ６の自由端６２がターンナップアーム４の摺動面４５の上方に自由に移動する能力を向上することができる。
【００６８】
図４は、ターンナップが完了した状態を示し、アーム駆動部材５が、ビードホルダ３から離れて軸方向Ａへ移動されて、ターンナップアーム４が図１に示される水平配向に戻るようにされ、または戻ることが可能になる。ターンナップアーム４の近位端４１で第１の付勢要素９１が、前記ターンナップアーム４を径方向内側へ移動するように付勢する。スリーブ６が、ターンナップアーム４に弾性的に追従し、傾斜しているターンナップアーム４の周りの小さい方の直径に結果的に収縮する。周方向Ｅにスリーブ６の中の弾性張力の結果として、スリーブ６の自由端６２が、ターンナップアーム４の上方に第２の軸方向の位置Ｐ２に向かって自動的に、ターンナップアーム４の各長手方向へ移動する傾向があり、能動的に自由端６２を引っ張ることはない。加えて、スリーブ６の自由端６２の周りの第２の付勢要素９２が、追加の弾性張力を周方向Ｅへ提供することによって、自由端６２が第２の軸方向の位置Ｐ２に向かって戻ることを補助し、それが、図５に概略的に示される、ターンナップアーム４の各長手方向Ｌに働く付勢力Ｆに転換される。
【００６９】
自由端６２が各ターンナップアーム４の摺動面４５の円錐形部分４６によって形成される円錐形区分１３に到達する場合、自由端６２が第２の軸方向の位置Ｐ２に向かって戻ることが更に補助される。略円柱形区分１４と円錐形区分１３との間の移行部が、図６に概略的に示されている。前記円錐形区分１３でタイヤ成形ドラム１の周面１２の増加したコニシティに起因して、ターンナップアーム４が図１に示されるほとんど水平配向にある場合でさえも、スリーブ６の自由端６２が、ターンナップアーム４の摺動面４５の上方により容易に摺動することができる。スリーブ６の弾性、付勢要素９２、円錐形区分１３および減摩用コーティングまたは表面層のすべてが、自由端６２が、図１に示される開始位置に戻ることに寄与する。
【００７０】
しかし、スリーブ６の弾性、付勢要素９２、円錐形区分１３および減摩用コーティングまたは表面層の組み合わされた動作が、自由端６２を開始位置に適切に戻ることを補償するために十分でない場合、長期的にもやはり、図７の第２の実施例に概略的に示されるように、可動端６２’を開始位置に向かって引っ張るために追加的付勢要素が設けられ得る。
【００７１】
この第２の実施例により、スリーブ６’の可動端６２’が、ターンナップアーム４の上方に、ターンナップアーム４の各長手方向Ｌへ摺動自在に可動であり、タイヤ成形ドラム１’が、スリーブ６’の可動端６２’を付勢するための付勢要素９５を備え付けて、第２の軸方向の位置Ｐ２に向かってターンナップアーム４の上方に、ターンナップアーム４の各長手方向Ｌへ移動する。実施例により、付勢要素９５が一連のばねを備え、各ばねが第１の周方向取付け部材９４に取り付けられた第１の側部上にあり、取付け部材９４は可動端６２’に取り付けられている。第１の側部から離れて面する第２の側部上に、前記ばねの各１つが、その近位端４１で、または近位端４１近傍でターンナップアーム４に取り付けられる第２の周方向取付け部材９３に取り付けられている。別法として、付勢要素９５は、弾性ゴムバンドなどの弾性付勢要素を更に備え付けることができる。ターンナップアーム４のターンナップ後に、ドラム１’に向かってターンナップアームが収縮する場合、付勢要素９５が、可動端６２’を第２の位置Ｐ２に向かって引っ張り戻すように配置される。
【００７２】
図７に示される実施例では、一連のばねが、１つのばねをターンナップアームの各１つに連結するように配置され、特にばねがターンナップアームの頂部上に配置される。この場合、ばねの各１つが、対応するターンナップアーム４の近位端４１に別個に取り付け可能であり、周方向取付け部材９３が省略され得る。
【００７３】
別法として、周方向取付け部材９３の使用によって、付勢要素９５をターンナップアーム４から概ね独立して、またはターンナップアーム４の間に配置することが可能になる。付勢要素９５をターンナップアーム４の間に配置することには、付勢要素９５が、タイヤ成形ドラム１の周面１２の少なくとも概ね下方に配置されることが可能になって、できる限り平坦および／または滑らかな周面１２を提供することができる。
【００７４】
図８は、ターンナップアーム１０４の長さに沿って、それらの各長手方向Ｌへ分配される複数のローラ１４８を備え付けた代替ターンナップアーム１０４を備える代替タイヤ成形ドラム１０１を示す。ローラ１４８が、ターンナップアーム１０４の上方に、ターンナップアーム１０４の上方に、スリーブ６の摺動、および特に自由端の戻りに接触し、促進するように配置される。したがって、ローラ１４８が、コーティングなどの前述の使用に対して代替形態を提供する。
【００７５】
上記の説明は、好適な実施形態の作動を説明するために含まれ、本発明の範囲を限定することを意味しないということを理解されたい。上記の考察から、やはり本発明の範囲によって包含される多くの変形形態が、当業者に明らかになるであろう。
【００７６】
要約すると、本発明は、タイヤ成形ドラム１および前記タイヤ成形ドラム１上にタイヤ構成要素を成形するための方法に関し、タイヤ成形ドラム１が、ターンナップアーム４の上方に、ターンナップアーム４の各長手方向Ｌへ延在する環状スリーブ６を備え、スリーブ６が周方向Ｅへ弾性であり、ターンナップアーム４の周りに弾性嵌合し、スリーブ６が、非弾性補強要素７を備え付け、非弾性補強要素７が、スリーブ６の少なくとも部分内にタイヤ成形ドラム１の周方向Ｅに対して横断する補強方向へ延在し、スリーブ６が、軸方向Ａに保持される固定端６１、およびターンナップアーム４の上方に、それらの各長手方向Ｌへ可動である可動端６２を備え付ける。
【図１】
0006343712.tif 000002
【図２】
0006343712.tif 000003
【図３】
0006343712.tif 000004
【図４】
0006343712.tif 000005
【図５】
0006343712.tif 000006
【図６】
0006343712.tif 000007
【図７】
0006343712.tif 000008
【図８】
0006343712.tif 000009